(57)【要約】【課題】      指先を使った片手による入力も可能でモバイルという小型化にも対応でき、キーの押し下げとった操作回数の増加を可能な限り生じさせず、スムーズな操作性で確実な入力を行える入力装置を提供する。【解決手段】  入力装置１において、操作部３には複数の押圧感度点５1、…、５Nが形成されており、各押圧感度点は、２つのグループに分類されたアルファベットのうち一方のグループに割り当てられ、ユーザが押圧感度点を操作することにより割り当てられたグループのアルファベットの１つが候補情報として選択され、表示部７により表示され、ユーザは、確定させて各押圧感度点に割り当てられた情報を入力する。２つのグループのアルファベットは、第１グループのアルファベットを確定したときには第１グループのものを確定可能な状態とされ、第２グループのアルファベットを確定したときには第１グループのアルファベットを確定可能な状態とされる。【選択図】  図１
2010072678.tif 000002
【特許請求の範囲】
【請求項１】
それぞれが押圧に所定の感度で応答して信号出力を可能とする複数の押圧感度点が形成された操作部と、
前記操作部からの信号出力により前記各押圧感度点に割り当てられた情報を候補情報として画面表示する表示部と、
前記表示部に画面表示された候補情報を確定させて前記各押圧感度点に割り当てられた情報を入力する確定部とを備え、
前記押圧感度点に割り当てられた情報には２６文字のアルファベットを表す文字情報が対応して含まれ、前記２６文字のアルファベットを表す文字情報が二つのグループに区別され、
前記表示部により第１グループ内のアルファベットを表す文字情報が全て画面表示されるとともに当該第１グループ内から候補情報も画面表示されて確定可能な場合には第２グループ内のアルファベットを表す文字情報の確定は不可とし、前記表示部により第２グループ内のアルファベットを表す文字情報が全て画面表示されるとともに当該第２グループ内から候補情報も画面表示されて確定可能な場合には前記第１グループ内のアルファベットを表す文字情報の確定は不可とし、グループ単位で確定できる状態であるか否かが定まっており、
前記第１グループ内のアルファベットを表す文字情報が確定した後には前記第１グループ内のアルファベットを表す文字情報を確定できる状態とし、前記第２グループ内のアルファベットを表す文字情報が確定した後には前記第１グループ内のアルファベットを表す文字情報を確定できる状態とする、入力装置。
【請求項２】
前記複数の押圧感度点は、少なくとも１２個の凸部で構成され、前記第１グループ内のアルファベットを表す文字情報には少なくともＡ、Ｂ、Ｅ、Ｈ、Ｉ、Ｎ、Ｏ、Ｒ、Ｓ、Ｔの１０個の文字情報が含まれ、前記第２グループ内のアルファベットを表す文字情報には前記第１グループに含まれない残余のものが含まれる、請求項１記載の入力装置。
【請求項３】
前記複数の押圧感度点は、少なくとも１６個の凸部で構成され、前記第１グループ内のアルファベットを表す文字情報には少なくともＡ、Ｂ、Ｄ、Ｅ、Ｈ、Ｉ、Ｌ、Ｎ、Ｏ、Ｒ、Ｓ、Ｔの１２個の文字情報が含まれ、前記第２グループ内のアルファベットを表す文字情報には前記第１グループに含まれない残余のものが含まれる、請求項１記載の入力装置。
【発明の詳細な説明】
【技術分野】
【０００１】
本願発明は、入力装置に関し、特にそれぞれが押圧に所定の感度で応答して信号出力を可能とする複数の押圧感度点が形成された操作部と、操作部からの信号出力により各押圧感度点に割り当てられた情報を候補情報として画面表示する表示部と、表示部に画面表示された候補情報を確定させて各押圧感度点に割り当てられた情報を入力する確定部とを備えた入力装置に関する。
【背景技術】
【０００２】
まず、モバイル環境下での英字・英文入力は、例えば携帯電話で代表される３×４（１２個）の独立した１つのキーボタンにアルファベットと記号等の英字キャラクターの３〜４種類を割り振ってキーの打鍵数によりその機能を確定して行う入力の方式が普及している（参考：特許文献１）。また、パソコンの小型化が進む中、携帯電話との融合も進み、携帯電話というモバイル環境下でも通常のフルキーボードを装備させ、そのキーによって入力することも行われている。さらに、タッチパネル上に文字を表示してその表示を直接タップして入力する方式もある。なお、本願発明者によって、特許文献２に開示されているように、第１の指先の触覚を利用して表示内容と関係付けて入力することができ、第２の指先で入力内容を確定できる入力装置のほか、特許文献３に開示されているように、指先の移動による触覚で認識可能なサイズで各種入力が行える指先触覚入力装置も提案されている。
【０００３】
【特許文献１】特許３０７１７０４号公報
【特許文献２】特開２００４−２９５７１６号公報
【特許文献３】特開２００３−１６２３６２号公報
【発明の開示】
【発明が解決しようとする課題】
【０００４】
しかしながら、上記のように打鍵数により機能を確定させる方式では、キーボタンを押す回数が多くなり、操作性が不十分であった。また、押す回数が多くなるということはそれだけ指への負担が加わることでもあり、回数が増えすぎたことによりキーボタンの自体の感度が低下して確定処理がスムーズに行えない場合も起こりえた。このような不具合の一つの解決策として、曖昧な入力を行っても一つのキーに割り当てられた複数の文字を区別せずに入力を行い、内蔵された辞書を用いて曖昧性を解消することにより単語を入力してキー入力数を減らすことも考えられている。しかし、依然としてキーを押す回数は多いという問題は残っており、辞書を用いることにより単語の選択・決定という処理が必要になった点で一文字一文字の入力と比べて文章の推敲が途切れてしまうという不具合も生じている。
【０００５】
また、通常のフルキーボードを装備させる場合には、モバイルでの小型化が要求されるためにフルキーボードのサイズが極めて小さいサイズとなるが、その場合、指で一つ一つのキーを操作するのは難しく、隣のキーを誤って操作してしまうといった誤入力が生じてしまうこともあった。さらに、フルキーボードは、通常のパソコンで分かる通り、ブラインドタッチで入力が可能な利点があるはずであるが、モバイルでの小型化ではキーと画面との対比しながら入力することに陥らざるを得ないという状況にあった。
【０００６】
さらに、静電容量方式によるタッチパネルの場合には、指先が画面に触れる形になり、画面が指先や指で隠れてしまうという問題があった。また、指が触れることにより皮脂がついてしまう一方、それを拭こうとするとタッチパネルが感度してしまうという問題もあった。さらに、入力を確定させる機構を装備させる点で難しさがあった。特に、指先や指により画面が隠れるという点が不具合とならないようにするには画面が大きいことが要求される一方、モバイルでの小型化という要求もあり、相反する要求に応える必要があるという問題があった。
【０００７】
ゆえに、本願発明は、指先を使った片手による入力も可能でモバイルという小型化にも対応でき、キーの押し下げ操作回数の増加を可能な限り生じさせず、スムーズな操作性で確実な入力を行える入力装置を提供することを目的とする。
【課題を解決するための手段】
【０００８】
請求項１に係る発明は、それぞれが押圧に所定の感度で応答して信号出力を可能とする複数の押圧感度点が形成された操作部と、前記操作部からの信号出力により前記各押圧感度点に割り当てられた情報を候補情報として画面表示する表示部と、前記表示部に画面表示された候補情報を確定させて前記各押圧感度点に割り当てられた情報を入力する確定部とを備え、前記押圧感度点に割り当てられた情報には２６文字のアルファベットを表す文字情報が対応して含まれ、前記２６文字のアルファベットを表す文字情報が二つのグループに区別され、前記表示部により第１グループ内のアルファベットを表す文字情報が全て画面表示されるとともに当該第１グループ内から候補情報も画面表示されて確定可能な場合には第２グループ内のアルファベットを表す文字情報の確定は不可とし、前記表示部により第２グループ内のアルファベットを表す文字情報が全て画面表示されるとともに当該第２グループ内から候補情報も画面表示されて確定可能な場合には前記第１グループ内のアルファベットを表す文字情報の確定は不可とし、グループ単位で確定できる状態であるか否かが定まっており、前記第１グループ内のアルファベットを表す文字情報が確定した後には前記第１グループ内のアルファベットを表す文字情報を確定できる状態とし、前記第２グループ内のアルファベットを表す文字情報が確定した後には前記第１グループ内のアルファベットを表す文字情報を確定できる状態とするものである。
【０００９】
請求項２に係る発明は、請求項１において、前記複数の押圧感度点が、少なくとも１２個の凸部で構成され、前記第１グループ内のアルファベットを表す文字情報には少なくともＡ、Ｂ、Ｅ、Ｈ、Ｉ、Ｎ、Ｏ、Ｒ、Ｓ、Ｔの１０個の文字情報が含まれ、前記第２グループ内のアルファベットを表す文字情報には前記第１グループに含まれない残余のものが含まれるものである。
【００１０】
請求項３に係る発明は、請求項１において、前記複数の押圧感度点が、少なくとも１６個の凸部で構成され、前記第１グループ内のアルファベットを表す文字情報には少なくともＡ、Ｂ、Ｄ、Ｅ、Ｈ、Ｉ、Ｌ、Ｎ、Ｏ、Ｒ、Ｓ、Ｔの１２個の文字情報が含まれ、前記第２グループ内のアルファベットを表す文字情報には前記第１グループに含まれない残余のものが含まれるものである。
【発明の効果】
【００１１】
本願請求項１に係る発明によれば、上記のような操作部と表示部と確定部とを備えることにより、指先を使った片手による入力も可能でモバイルという小型化にも対応でき、操作回数の増加を抑えることができる。また、２６文字のアルファベットを表す文字情報が２つのグループに区別され、一方で確定できる場合には他方が確定不可であり、誤った確定の防止という工夫もなされているため、確実な入力を行える。さらに、第１グループ内のアルファベットの確定が続けて行え、第２グループ内のアルファベットの確定後は第１グループの確定を行えるようにしているので、第１グループ内のアルファベットに入力頻度が高いものを集めることにより、操作性が高く、ユーザにとってはスムーズな入力作業と感じることができる。よって、指先を使った片手による入力も可能でモバイルという小型化にも対応でき、キーの押し下げといった操作回数の増加を可能な限り生じさせず、スムーズな操作性で確実な入力を行えるものが得られる。
【００１２】
本願請求項２に係る発明によれば、アルファベットの中でも１０個の文字は出現頻度が高く（後に説明するように、これらを含む１１個の文字で約７割超）、その第１グループが画面表示された状態で大半を入力できるばかりか、上記第２グループから第１グループへの確定のための切り替えと相まって操作性が高いものが得られる。また、複数の押圧感度点が少なくとも１２個の凸部からなり、同じキーのサイズであっても１０６個のキーからなるフルキーボードの場合に比べて約８分の１に近いものであるという省スペースが実現できてモバイルでの小型化に対する要求にも添うものとすることができる。
【００１３】
本願請求項３に係る発明によれば、請求項２の場合には携帯電話の配列（３列４行）を可能としているが、ここでは４×４という正方形での配列を可能とし、より第１グループにアルファベットを含ませることができ、請求項２の場合に比べて操作性をより向上させたものとすることができる。
【発明を実施するための最良の形態】
【００１４】
以下、図面を用いて本願発明の実施例を示す。なお、本願発明の実施の形態は下記のものに限定されない。
【実施例１】
【００１５】
図１は、本願発明の実施の形態に係る入力装置１の概略ブロック図である。入力装置１は、例えば携帯電話などの携帯情報端末である。ユーザは、入力装置１を、片手で手首を固定（挟持）して操作する。入力装置１は、ユーザが１本の指の移動による指先の操作を行う操作部３を備える。操作部３には、それぞれが押圧に所定の感度で応答して信号出力を可能とする複数の押圧感度点５1、…、５Ｎが形成されている。また、入力装置１は、各押圧感度点５1、…、５Ｎに割り当てられた情報を画面表示する表示部７を備える。表示部７は、ユーザによる操作部３の操作により生成された操作部３からの信号出力により、各押圧感度点５1、…、５Ｎに割り当てられた情報を候補情報として画面表示する。さらに、入力装置１は、表示部７に画面表示された候補情報を確定させて各押圧感度点５1、…、５Ｎに割り当てられた情報を入力する確定部９を備える。
【００１６】
押圧感度点５1、…、５Ｎに割り当てられた情報には、２６文字のアルファベットを表す文字情報が対応して含まれる。これらの２６文字のアルファベットを表す文字情報は、第１グループと第２グループという二つのグループに区別されている。
【００１７】
表示部７において、第１グループ内のアルファベットを表す文字情報が全て画面表示されるとともに、第１グループ内から候補情報も画面表示されて確定可能な場合には第２グループ内のアルファベットを表す文字情報の確定はされない。また、表示部７において、第２グループ内のアルファベットを表す文字情報が全て画面表示されるとともに、第２グループ内から候補情報も画面表示されて確定可能な場合には第１グループ内のアルファベットを表す文字情報の確定はされない。このように、グループ単位で確定できる状態であるか否かが定まっている。
【００１８】
さらに、入力装置１は、第１グループ内のアルファベットを表す文字情報が確定した後には、第１グループ内のアルファベットを表す文字情報を確定できる状態とする。また、入力装置１は、第２グループ内のアルファベットを表す文字情報が確定した後には、前記第１グループ内のアルファベットを表す文字情報を確定できる状態とする。
【００１９】
図２は、図１の入力装置１の具体例である携帯電話１１を示す図である。（ａ）は正面図、（ｂ）は背面図、（ｃ）はユーザの使用状況を示す図である。
【００２０】
図２（ａ）にあるように、携帯電話１１の正面には、表示部１３（図１の表示部７に対応）を備える。また、図２（ｂ）にあるように、携帯電話１１の背面には、操作部１５（図１の操作部３に対応）を備える。操作部１５には、複数の押圧感度点１７（図１の押圧感度点５1、…、５Ｎに対応）が設けられており、また、他に２点の押圧感度点１９及び２１も設けられている。さらに、ユーザは、操作部１５の押圧感度点１７を操作することにより、表示部１３に表示されたアルファベットのうち、候補情報として表示されたものの確定処理を指示する（そのため、図２の押圧感度点１７は、図１の確定部９にも対応する。）。ユーザは、図２（ｃ）にあるように、携帯電話１１を、片手で手首を固定して保持し、１本の指の移動による指先で操作部１５を操作する。
【００２１】
図２（ｂ）の操作部１５は、狭いスペースに１２個の凸部の押圧感度点１７が形成された操作パネルである。本実施例では、文字入力キーを１２個に規定することから、通常の１０６フルキーボードに比べて８分の1以下のキー数で構成される。そのため、省スペースを実現可能となる。ユーザは、操作の際に１本の指先の微小な動きによって凸部を触覚認識しつつ、表示部１３において、その触覚認識を視覚によってリアルタイムに確認して確定信号の入力可否を決定する。
【００２２】
また、図２（ａ）にあるように、少なくとも第１グループ内のアルファベットを表す文字情報は、狭いスペースで明瞭に認識でき、しかも視覚的に煩雑感がなく、入力操作も分りやすい「１キーに１機能」の表示とする。これは、一般的な１つのキーに複数の文字入力機能を搭載し打鍵数によりキーを確定する方式とは異なるものである。さらに、一度に表示されるキー表示が１２と限定されているので、希望する表示キーを探しやすく、１つの画面に表示されるキー表示やその位置を覚えることも容易である。
【００２３】
図３は、図２の携帯電話１１のハードウェア構成の一例を示す図である。携帯電話３１は、キーパッド３３（図２の操作部１５に対応）とディスプレイ３５（図２の表示部１３に対応）を備える。また、通信装置３７の制御等を含め、ソフトウェアの制御の下で動作するＣＰＵ３９を備える。ＣＰＵ３９には、ユーザがキーパッド３３を操作して生成された信号出力（刺激情報）が伝達される。さらに、携帯電話３１は、文字テーブル辞書４１を備え、ＣＰＵ３７は、必要に応じてこれらの保持する情報を参照して処理を行う。ＣＰＵ３７は、ドライバ３を介してディスプレイ３５の表示制御を行う。
【００２４】
本実施例では、英語の入力は、２６文字のアルファベットと、各種の記号、スペース及びカーソルの移動等の機能とを使い分けて入力する。さらに、入力操作の便利のため、２６文字のアルファベットは、２つのグループに分けられている。ＣＰＵ３９は、ディスプレイ３５に対して、第１グループのアルファベットの表示処理を行い、ユーザのキーパッド３３の操作により第１グループのアルファベットの候補情報の表示処理を行い、さらに、その候補情報の確定処理を行う。また、ユーザのキーパッド３３の操作により、第２グループのアルファベットの表示処理を行い、第２グループのアルファベットの候補情報を表示し、さらに、その候補情報の確定処理を行う。
【００２５】
まず、図４を参照して、図３のキーパッド３３の具体的な一例について説明する。図４は、要部断面図である。図４に示されるように、キーパッド３３の１２個の押圧感度点をなす凸部は、例えば縦横の各ピッチは約４．８mm、平面形状のφは約１．６ｍｍ、高さは約０．５ｍｍ以下としている。これにより、縦横約１６ｍｍのスペースで指の移動を行ない、片手による文字入力を実行することが可能になっている。
【００２６】
キーパッド３３は、ユーザが筺体表面に配置された操作パネルに指先が触れたときに、その位置をｘ−ｙ座標上の位置として検出することができるデジタイザと、このデジタイザの下方に設けられて確定的な入力を行うための確定スイッチを備えたものである。デジタイザは、所定のキーに対応付けられたエリア（キー対応エリア）が複数個マトリクス状に分割された構成になっている。このキーはアルファベットや数字、機能等の情報に対応する。デジタイザは、図示を省略するが、２枚のＩＴＯ(Indium  Tin  Oxide)等の素材から構成された抵抗膜を備えたもので、絶縁性のレジスト及びスペーサを介して２枚の抵抗膜がある空間を持って対向されている。この抵抗膜の一方はｘ座標を特定するためのものであり、対向する１組の辺に一対の電極が設けられている。また、抵抗膜の他方はｙ座標を特定するためのものであって、対向する１組の辺に一対の電極が設けられている。この各電極にそれぞれ電圧を印加し、デジタイザが押圧されると、ｘ座標の抵抗膜とｙ座標の抵抗膜が接触して導通し、ｘ座標はｙ座標側を通じて検出し、ｙ座標はｘ座標側を通じて検出し、分圧によりそれぞれの座標を割り出す。デジタイザは上面シートによって被覆され、剛性を有するステンレス製のアクチュエータ板に固定されている。
【００２７】
上面シートの表面には、ユーザがキー対応エリアを指先で探って入力しやすいように、例えば高さ０．３ｍｍ程度に膨出した凸部が形成されている。なお、上面シートは例えば０．２ｍｍ程度、アクチュエータ板は例えば０．２ｍｍ程度の厚さを有している。
【００２８】
デジタイザの下方の確定スイッチは、アクチュエータ板の下面（デジタイザとは反対側）に設けられた突起状の作用部と、図示を省略するが確定信号を出力するためのスイッチ回路パターンが形成されたフィルム基板と、クリック感を与えるために弾発力が付与された金属製のドームスプリングから構成される。ドームスプリングは、上面シートの凸部が所定の重さより強く押圧されてアクチュエータ板が押し下げられ、突起状の作用部によって押圧されると、フィルム基板の接点パターンを導通させる。この信号はフラットケーブル（ＦＰＣ等）を通してＣＰＵとドライバを介して表示部に出力される。凸部を押圧して確定スイッチがオンされる強さは、接触したことが検知できる約１０g／ｃｍ２より大きい押し圧約７０g／ｃｍ２でドームスプリングが押し下げられる強さである。
【００２９】
続いて、図５を用いて、図２の表示部１３における表示の一例について説明する。ここで、Ａ，Ｂ，Ｅ，Ｈ，Ｉ，Ｌ，Ｎ，Ｏ，Ｒ，Ｓ，Ｔの１１文字を第１グループとし、その他のアルファベットを第２グループとする。図５は、図２の表示部１３における（ａ）第１グループ及び（ｂ）第２グループのアルファベットの配置の具体例を示す図である。以下、図５（ａ）を「表示画面１」といい、図５（ｂ）を「表示画面２」という。
【００３０】
図５（ａ）の表示画面１では、図２の押圧感度点１７のそれぞれに対して、第１グループのアルファベット１１文字及び記号「，．」が、記号「，．」を最下段中央に割り付け、アルファベット１１文字をその他の押圧感度点に左上からアルファベット順に１文字ずつ割り付けて表示される。記号「，．」は、１クリックで「,」、２クリックで「.」が入力される。押圧感度点１７は、どの点でも所定の時間以上（例えば１秒以上）連続して押される（以下、「長押し」という。）と、図５（ｂ）の表示へ切り替えられる。また、表示画面１の押圧感度点１９及び２１には、それぞれ、スペース及びデリート（クリア）が割り付けられて表示される。
【００３１】
図５（ｂ）の表示画面２では、図２の押圧感度点１７のそれぞれに対して、第２グループのアルファベット１５文字並びに数字、機能及びmenuを入力するための画面に切り替える３つの画面切替キーについて、画面切替キーを最下段の３点にそれぞれ割り付け、アルファベット１５文字をその他の押圧感度点に割り付けて表示される。また、押圧感度点１９及び２１には、それぞれ、表示画面１への画面切替キー及び改行（リターン）が割り付けられて表示される。
【００３２】
本実施例において、押圧感度点１７の個数は１２個に制限され、さらに、ユーザは、機器を挟持（手首を固定）して、１本の指を移動して、指先の操作により入力する。そのため、デスクトップ型のキーボード等のように手首を固定せずに入力する方式と比較して指の動く操作範囲は一定の制限が生じる。併せて、隣接する目的のキー（凸部）ヘの指先の移動は容易に行えるが、目的のキーが目的外のキーを飛び越えた位置にある場合は、隣接するキーの操作に較べて少なくとも指先の触覚によるスピーディーな位置認識と指先による確定操作において難度が増すことになる。そのため、各押圧感度点に対応するキーの表示方法は、指操作の面からもユーザインタフェース（ＵＩ）の向上を実現するために非常に重要である。
【００３３】
続いて、図６を参照して、図２の携帯電話１１及び図３の携帯電話３１の具体的な動作の一例を示す。ユーザが英語入力モードを設定すると、図２の表示部１３に図５（ａ）の表示画面１が表示される（ステップＳＴ１）。ＣＰＵ３９は、ユーザが図２の押圧感度点１９又は２１を入力したか否かを判断する（ステップＳＴ２）。ＣＰＵ３９は、ユーザが押圧感度点１９を入力した場合はデリートの入力処理を行い（ステップＳＴ３）、ユーザが押圧感度点２１を入力した場合はスペースの入力処理を行い（ステップＳＴ４）、その後、ステップＳＴ２の処理に戻る。ユーザが図２の押圧感度点１９も２１も入力していない場合、ＣＰＵ３９は、押圧感度点１７を入力したか否かを判断する（ステップＳＴ５）。入力していない場合には、ステップＳＴ２の処理に戻る。入力した場合には、その押圧感度点に対応する文字又は記号（以下、「候補情報」という。）について、例えば当該押圧感度点を強く押圧するなどにより確定を入力しているか否かを判断する（ステップＳＴ６）。弱い押圧に留まり、確定を入力していない場合には、ＣＰＵ３９は、その押圧されている押圧感度点に対応するキーの色を変更して表示する等により候補情報を表示する（ステップＳＴ８）。そして、ユーザが、表示画面１で入力が完了しなかったり、表示画面１に目的の文字表示がなかったりする場合は、その押圧感度点を長押しして表示画面切替を入力する。ＣＰＵ３９は、表示画面切替が入力されている場合には表示画面２の表示処理を行い（ステップＳＴ１０）、表示画面切替の入力がなされていない場合には、ステップＳＴ２の処理に戻る。ステップＳＴ６において、確定が入力されている場合には、候補情報に対応するアルファベット又は記号を確定して入力する確定処理を行い（ステップＳＴ７）、ステップＳＴ２の処理に戻る。
【００３４】
ＣＰＵ３９は、ステップＳＴ１０の表示画面２の表示処理に続き、ユーザが図２の押圧感度点１９又は２１を入力したか否かを判断する（ステップＳＴ１１）。ＣＰＵ３９は、ユーザが押圧感度点１９を入力した場合はステップＳＴ１の表示画面１の表示処理に戻る。また、ＣＰＵ３９は、ユーザが押圧感度点２１を入力した場合はリターン（改行）の入力処理を行い（ステップＳＴ１２）、ステップＳＴ１の表示画面１の表示処理に戻る。ユーザが図２の押圧感度点１９も２１も入力していない場合、ＣＰＵ３９は、押圧感度点１７を入力したか否かを判断する（ステップＳＴ１３）。入力していない場合には、ステップＳＴ１１の処理に戻る。入力した場合には、ユーザが確定を入力しているか否かを判断する（ステップＳＴ１４）。確定が入力されていない場合には、ＣＰＵ３９は、その押圧されている押圧感度点に対応して候補情報を表示して（ステップＳＴ１６）、ステップＳＴ１１の処理に戻る。また、確定が入力されている場合には、候補情報に対応するアルファベット又は記号を確定して入力する確定処理を行う（ステップＳＴ１５）。このとき、ＣＰＵ３９は、ユーザが押圧感度点１７を所定の時間内に連続して確定を入力したことを感知した場合（例えば、ユーザが押圧感度点をダブルクリックした場合）、第２グループのアルファベットの複数の文字の確定処理を行う。また、例えば「ＰＱＺ」のように１つのキーに複数の文字が割り当てられている場合には、連続して確定が入力した回数に応じて、１回であればＰ、２回であればＱ、３回であればＺのように、文字の確定処理を行う。また、数字入力画面キー、機能入力画面切替キー及びmenu入力画面切替キーであれば、それぞれ、数字画面を表示して数字の入力処理をし、カーソル移動、コピー＆ペースト等のための機能画面を表示して機能の入力処理をし、及び、入力方式の選択画面等のための文字入力に関する一覧を表示して入力処理を行う。そして、ステップＳＴ１の処理に戻る。
【００３５】
以下では、「ＣＡＬＬ．」と入力する場合を例として、図６における具体的な文字入力の工程を説明する。
【００３６】
表示画面１にＣがないので、ユーザは、押圧感度点１７の１つのキーを長押し（約１秒）して表示画面２に画面を切り替える（ステップＳＴ１０）。ユーザは、表示画面２のＣの位置に対応する押圧感度点を指先で触覚認識しその位置をタッチイベントとして確認する。ＣＰＵ３９は、これを候補情報として識別する（ステップＳＴ８）。ユーザは、この押圧感度点をさらに強く押すと、ＣＰＵ３９は、Ｃの入力処理を行い、図２の表示部１３にＣを入力表示する（ステップＳＴ７）。入力処理が終わると、表示部１３には表示画面１が表示される（ステップＳＴ１）。表示画面２のＣと同じ位置にＡが表示されており、指のタッチイベントとして表示される。ユーザがそのまま同じ位置を強く押すと、ＣＰＵ３９は、Ａの入力処理を行う（ステップＳＴ７）。次に、タッチイベントでＬの指位置を確認し（ステップＳＴ５）、その凸部を続けて２度押すとＬＬと表示部１３に入力表示される（ステップＳＴ７）。次に、ユーザは、「，．」キーを２度押すことで「．」が入力表示され入力が完了する（ステップＳＴ７）。
【００３７】
なお、図５の入力表示例における表示画面１と表示画面２のアルファベット等のキーの割り付け位置は一例であり、適宜変更可能である。例えば、表示画面１において、Ａ，Ｂ，Ｄ，Ｅ，Ｈ，Ｉ，Ｎ，Ｏ，Ｒ，Ｓ，Ｔの１１文字を割り当てる（Ｌに代えてＤを割り当てる）ようにしてもよい。この場合、Ｌは、表示画面２に割り当てられることになる。ユーザは、例えば「ＣＡＬＬ．」における「ＬＬ」を入力する場合、表示画面１にはＬがないために表示画面２に切り替える（図６のステップＳＴ９）。その際、ユーザは、表示画面２のＬのキー表示位置を覚えておいて表示画面１の同じ位置の凸部に指先を移動してその凸部を長押しし、表示画面２に表示画面を切り替えてタッチイベントでＬの指位置を確認し（図６のステップＳＴ１３）、その凸部を早く２度押す。これにより、ＬＬと表示部１３に入力表示され（図６のステップＳＴ１５）、表示部１３には表示画面１が表示される（図６のステップＳＴ１）。ここで、表示画面２のアルファベット入力について、同じ位置の凸部が所定の時間内に連続して操作された場合のみ同じ文字が入力表示され、異なる位置の場合には入力表示されないようにしてもよく、また、同じ位置だけでなく、異なる位置の凸部が所定の時間内に連続して操作された場合にも、各位置に対応する文字が連続して入力表示されるようにしてもよい。
【００３８】
また、本実施例にあるように、例えば表示画面１から表示画面２へ切り替えて入力操作を続行しようとする場合のように、入力操作の連動を伴うモードの違う２つの入力画面を有する場合、第１の画面から第２の画面への画面切替を確定入力し第２の画面が表示された際、第１の画面に位置する画面切替を指示したキーと同じ位置に指先の位置を確認できるタッチイベントが表示されているようにしてもよい。これにより、表示画面１から表示画面２に画面が切り替わった指先の位置から、表示画面２の操作実行において指先の移動を極力少なくしてスピーディーな操作性を実現することができる。そのため、表示画面２におけるキー表示の割り付け位置を工夫することができる。連続して押し操作を行う場合などブラインドタッチができない場合、キートップに表示されている目的のキー表示を探す際には、通常は一旦、押し操作を完了後に指を離して次の目的のキーを探すのが一般的である。キー表示が指と手で隠れ手元が見えないのがその理由だが、本装置はキー表示が指や手で隠れないのでこのような操作スタイルが創案される。
【００３９】
さらに、入力操作の連動を伴うモードの違う２つの入力画面を有する場合、表示画面１と表示画面２とを明瞭に区別できるように表示するようにすることで、ＵＩの向上を図ることができる。ユーザが急いで入力をしている際にも、表示画面の認識に対して混乱することなく操作中の画面を理解し、目的のキー表示を探すのが容易になるからである。
【００４０】
さらに、入力操作の連動を伴うモードの違う２つの入力画面を有する場合、表示画面１で操作をしている状態のまま表示画面２に割り付けてある目的キーの割り付け位置や割り付け内容を予め確認するようにしてもよい。例えば、図７にあるように、例えば大型の携帯情報端末やＰＤＡなどの大型の表示部を有する情報端末機器の場合には、表示画面１と表示画面２を同時に表示してもよい。左側に入力操作を実行中の表示画面１を表示し、右側に入力待機中の表示画面２を斜線処理を施して表示している。前記斜線処理部については表示画面１に較べ表示を薄くしたりして、実行中の表示画面１の表示の方が明瞭に認識できるようになっていることが望ましい。このように同時に表示して、入力待機中の表示画面２は表示画面１から画面を切り替えたときに表示画面１と例えば位置を入れ替えて表示することにより、ユーザは表示内容を明瞭に確認して入力操作を続けることができる。
【００４１】
さらに、表示画面２に割り付けている数字キーやmenuキーを軽く押したときにタッチイベントとして表示画面２が表示画面１の位置に表示されるようにしてもよく、表示画面の位置はそのままで実行中の表示画面２の表示の方が明瞭に認識できるようになるとしてもよい。
【００４２】
さらに、表示部７により表示される情報は、図２（ａ）では、表示部１３と操作部１５が一体となった機器を例に説明しているが、例えば、入力装置１がデスクトップ型コンピュータ等の大型装置に対するリモコンである場合のように、入力装置１とは独立した表示装置において、入力装置１と無線やＵＳＢで結線されたものに表示されるものでもよい。
【００４３】
さらに、例えばアルファベット文字を入力する際、指先を操作パネルの凸部を押したまま目的のキー表示の位置に移動しその箇所をさらに強く押しこむ操作を繰り返してアルファベット文字の第１の入力をし、いったん操作パネルから指先を離し、所定の時間の経過の後、再度、同様のアルファベット文字の第２の入力をすると、第１の入力によるアルファベット文字と第２の入力によるアルファベット文字との間にスペースが入力されるようにしてもよい。これにより「スペース」については確定操作を不要とすることができる。
【実施例２】
【００４４】
本実施例では、操作部３の押圧感度点５1、…、５Nが１６個である場合について説明する。実施例１は、歴史のある携帯電話等の３列４行の慣例を踏襲したものである。本実施例では、スムーズな指の移動範囲、指先触覚で目的の凸部を認識しやすい凸部の配置寸法を基に、一例として４列４行の１６個の凸部を形成している。
【００４５】
本実施例では、第１グループのアルファベットはＡ，Ｂ，Ｄ，Ｅ，Ｈ，Ｉ，Ｎ，Ｏ，Ｒ，Ｓ，Ｔ，Ｕ，Ｌ及びＭの１４文字であり、その他のアルファベットが第２グループとする。図８は、表示部７により表示される（ａ）第１グループ及び（ｂ）第２グループのアルファベットの配置の具体例を示す図である。図８の（ａ）及び（ｂ）は、それぞれ、図５（ａ）及び（ｂ）に対応し、入力画面１及び入力画面２という。入力装置１の動作も図６と同様のものであるが、押圧感度点１９及び２１に関する処理について、図８（ａ）の最下段左から２番目のスペースの入力処理が図６のステップＳＴ４に対応して同様のものとなる。
【００４６】
図８（ａ）では、最下段の押圧感度点の中央左側にスペースが、中央右側に記号「，．」が割り当てられる。記号「，．」は、１クリックで「,」、２クリックで「.」が入力される。その他の押圧感度点のそれぞれに対して、第１グループのアルファベットが左上からＡ，Ｂ，Ｄ，Ｅ，Ｈ，Ｉ，Ｎ，Ｏ，Ｒ，Ｓ，Ｔ，Ｕ，Ｌ及びＭの順に割り当てられる。押圧感度点１７は、少なくともアルファベットが割り当てられた点で長押しされると、図８（ｂ）の表示へ切り替えられる。
【００４７】
図８（ｂ）の表示画面２では、最下段の４つの押圧感度点に対して、左から、表示画面１への画面切替キー、数字入力画面切替キー、機能入力画面キー及び大文字・小文字切替キーが割り当てられている。表示画面１への画面切替キー、数字入力切替キー及び機能入力画面キーについては、図５に示されるものと同様のものであり、大文字・小文字切替キーは、大文字入力画面を小文字入力画面に切り替え、また、小文字入力画面を大文字入力画面に切り替えるものである。その他の押圧感度点には、第２グループのアルファベットが、アルファベット順に割り当てられている。
【００４８】
本願発明において、キー入力操作が多いアルファベットを第１グループとし、キー入力操作が少ないアルファベットを第２グループとすることにより、アルファベットを入力するための連続したキー操作は極めて少ないものとなる。さらに、表示画面の切替処理を省略し、操作の簡略化による操作性の向上を実現するものである。
【００４９】
さらに、実施例２では、実施例１に比べて押圧感度点を１６個に増やしたことにより、アルファベット２６文字のうち、図８（ａ）のみで文字入力操作を完結できる確率を上げ、図８（ｂ）においては各々の入力キーには１つのアルファベットを割り付けて表示を見やすくし、入力処理を容易化している。
【００５０】
図９を参照して、実施例１及び実施例２において、アルファベットを２つのグループに分けて表示した成果について説明する。図９は、実施例１及び実施例２における入力画面別の文字の出現頻度を示した図である。図９における英文は、出現頻度に関する本願発明の優位性を示すために自然科学ジャンルの雑誌から無作為に選んだ３つの文例を比較している。
【００５１】
実施例１の表示画面１に表示される文字は、３つの文例において全文字数に対する出現頻度が７６％〜８２．６％と高いものであった。さらに、実施例１においては、入力したい文字を表示させるために複数回の打鍵は不要である。そのため、従来の携帯電話の連打式文字入力で入力した場合と比較して、実施例１による打鍵数は５０％〜６２％の打鍵数で同じ入力が実現される。すなわち、（ａ）では、連打式文字入力の押し数が５１８であるのに対し、実施例１では２９６であり５７％となり、（ｂ）では、連打式文字入力の押し数が４６６であるのに対し、実施例１では２８８であり６２％となり、（ｃ）では、連打式文字入力の押し数が５１８であるのに対し、実施例１では２６０であり５０％となる。
【００５２】
また、実施例２の図８（ａ）に表示される文字は、３つの文例において全文字数に対する出現頻度が８３％〜８６％と実施例１の場合よりもさらに高いものであった。さらに、実施例１と同じく入力したい文字を表示させるために複数回の打鍵は不要であるため、従来の携帯電話の連打式文字入力で入力した場合と比較して、実施例２による打鍵数は下記のように４６％〜５４％と実施例１よりも少ない打鍵数で同じ入力が実現された。すなわち、（ａ）では、連打式文字入力の押し数が５１８であるのに対し、実施例２では２８１であり５４％となり、（ｂ）では、連打式文字入力の押し数が４６６であるのに対し、実施例２では２５１であり５４％となり、（ｃ）では、連打式文字入力の押し数が５１８であるのに対し、実施例２では２３９であり４６％となる。
【００５３】
このように、本願発明により、英語において出現頻度の高いキー表示文字を表示画面１に割り付けることで文字入力の殆どの操作を表示画面１のみで行うことができ、画面の切替が少ないシンプル操作のＵＩを実現できる。さらに、従来の携帯電話の連打式文字入力と比較して圧倒的な打鍵数の優位性が実証され、あたかもＱＷＥＲＴＹキーを片手で入力するような快適なユーザインターフェース（ＵＩ）が実現できる。
【００５４】
なお、図８の入力表示例におけるアルファベット等のキーの割り付け位置は一例であり、適宜変更可能である。
【図面の簡単な説明】
【００５５】
【図１】本願発明の実施の形態に係る入力装置１の概略ブロック図である。
【図２】図１の入力装置１の具体例である携帯電話１１を示す図である。
【図３】図２の携帯電話１１のハードウェア構成の一例を示す図である。
【図４】図３のキーパッド３３の具体的な一例の要部断面図である。
【図５】図２の表示部１３における表示の一例を示す図である。
【図６】図２の携帯電話１１及び図３の携帯電話３１の具体的な動作の一例を示すフロー図である。
【図７】図２の表示部１３における表示の他の一例を示す図である。
【図８】実施例２における表示の一例を示す図である。
【図９】実施例１及び実施例２において、アルファベットを２つのグループに分けて表示した成果を示す図である。
【符号の説明】
【００５６】
１  入力装置、３  操作部、５1，…，５N  押圧感度点、７  表示部、９  確定部、１１  携帯電話、１３  表示部、１５  操作部、１７，１９，２１  押圧感度点、３１  携帯電話、３３  キーパッド、３５  ディスプレイ、３９  ＣＰＵ
【図１】
2010072678.tif 000003
【図２】
2010072678.tif 000004
【図３】
2010072678.tif 000005
【図４】
2010072678.tif 000006
【図５】
2010072678.tif 000007
【図６】
2010072678.tif 000008
【図８】
2010072678.tif 000009
【図９】
2010072678.tif 000010
【図７】
2010072678.tif 000011